(57)【要約】【課題】操作性を損なうことなく、誤動作を防止することが可能となるスイッチを提供することを目的とする。【解決手段】操作部は略中央部で回動自在に結合された第１のボタン１および第２のボタン２と、第１のボタン１および第２のボタン２に夫々回動自在に結合された第１の傾動子３および第２の傾動子４と、第１のボタン１および第２のボタン２の結合部分に回動自在に結合された転換子８からなり、転換子８に形成されたガイド突起８ｄが操作部ケース１１に形成された係合凹部１１ｄに係合することで操作部の傾動操作が抑制され、操作部の略中央部の押圧操作により転換子８が下方に押し下げられることでガイド突起８ｄと係合凹部１１ｄの係合が解除されて傾動操作が可能となる。【選択図】図１
2011076884.tif 000002
【特許請求の範囲】
【請求項１】
ケースに傾動自在に配設された操作部を傾動させて電路の開閉を行うスイッチにおいて、前記操作部は略中央部で回動自在に結合された２つのボタンと、該ボタンに夫々回動自在に結合された２つの傾動子と、前記２つのボタンの結合部分に回動自在に結合された転換子からなり、該転換子には突起が形成され、該突起が前記ケースに形成された凹所に係合することで前記操作部の傾動操作が抑制され、前記転換子が下方に押し下げられることで前記突起と前記凹所の係合が解除されて傾動操作が可能となることを特徴とするスイッチ。
【請求項２】
請求項１記載のスイッチにおいて、前記操作部の略中央部を押圧することで前記転換子が連動して下方へ押し下げられて前記突起と前記凹所の係合が解除されることを特徴とするスイッチ。
【請求項３】
請求項１記載のスイッチにおいて、前記２つのボタンは底面部から操作片を立設させて略Ｌ字状に形成され、前記操作片を摘むことで前記転換子が連動して下方へ押し下げられて前記突起と前記凹所の係合が解除されることを特徴とするスイッチ。
【請求項４】
請求項１記載のスイッチにおいて、前記２つの傾動子には傾動軸が形成され、該傾動軸が前記ケースに形成された孔に回動自在に係合され、前記傾動軸が支点となって前記操作部が傾動するとともに前記傾動軸の回転によって接触機構が操作されることを特徴とするスイッチ。
【請求項５】
請求項１記載のスイッチにおいて、前記操作部と前記接触機構を夫々独立したユニットで構成することを特徴とするスイッチ。
【請求項６】
請求項３記載のスイッチにおいて、前記操作片の一方にアームを回動自在に配設したことを特徴とするスイッチ。
【発明の詳細な説明】
【技術分野】
【０００１】
本発明は、操作部の傾動により電路の開閉を行うスイッチに係り、誤動作防止機能を備えたスイッチに関するものである。
【背景技術】
【０００２】
従来の操作部を傾動することで電路の開閉を行うスイッチの誤動作防止として、スリープの上端に設けた切欠にレバーに被せたキャップの係合突起を係合させ、ロック状態に保持し、キャップを引き上げて切欠との係合を外し、レバーを傾動させるロックレバートグルスイッチ（下記特許文献１参照）があった。
【先行技術文献】
【特許文献】
【０００３】
【特許文献１】実開昭６３−８９６４３号公報
【発明の概要】
【発明が解決しようとする課題】
【０００４】
しかしながら、上記したロックレバートグルスイッチは、キャップを引き上げてスリープの切欠との係合を外してからレバーを傾動させるため、操作が煩雑で操作性が損なわれるといった問題があった。
【０００５】
そこで本発明は、上記状況に鑑みて、操作性を損なうことなく誤動作を防止するスイッチを提供することを目的とする。
【課題を解決するための手段】
【０００６】
本発明は、上記目的を達成するために、
〔１〕ケースに傾動自在に配設された操作部を傾動させて電路の開閉を行うスイッチにおいて、前記操作部は略中央部で回動自在に結合された２つのボタンと、該ボタンに夫々回動自在に結合された２つの傾動子と、前記２つのボタンの結合部分に回動自在に結合された転換子からなり、該転換子には突起が形成され、該突起が前記ケースに形成された凹所に係合することで前記操作部の傾動操作が抑制され、前記転換子が下方に押し下げられることで前記突起と前記凹所の係合が解除されて傾動操作が可能となることを特徴とする。
〔２〕上記〔１〕記載のスイッチにおいて、前記操作部の略中央部を押圧することで前記転換子が連動して下方へ押し下げられて前記突起と前記凹所の係合が解除されることを特徴とする。
〔３〕上記〔１〕記載のスイッチにおいて、前記２つのボタンは底面部から操作片を立設させて略Ｌ字状に形成され、前記操作片を摘むことで前記転換子が連動して下方へ押し下げられて前記突起と前記凹所の係合が解除されることを特徴とする。
〔４〕上記〔１〕記載のスイッチにおいて、前記２つの傾動子には傾動軸が形成され、該傾動軸が前記ケースに形成された孔に回動自在に係合され、前記傾動軸が支点となって前記操作部が傾動するとともに前記傾動軸の回転によって接触機構が操作されることを特徴とする。
〔５〕上記〔１〕記載のスイッチにおいて、前記操作部と前記接触機構を夫々独立したユニットで構成することを特徴とする。
〔６〕上記〔３〕記載のスイッチにおいて、前記操作片の一方にアームを回動自在に配設したことを特徴とする。
【発明の効果】
【０００７】
本発明によれば、次のような効果を奏することができる。
（１）操作部を押圧することでロックが解除できるため、スムーズな動作でロック解除から傾動操作までを行えるので、操作性を損なうことなく誤動作を防止することができる。
（２）２つの傾動子を設けたことで傾動操作に必要な操作力が分散されるため、大きな操作力が不要となり、軽快に操作することができる。
（３）２つの傾動子に夫々接触機構を結合することができるため、１つの操作部で異なる接触機構を同時に操作することができる。
（４）操作部と接触機構を夫々独立したユニットとしたので、接触機構ユニットの基礎絶縁が破壊された場合でも操作部ユニットで感電に対する保護ができるため、二重絶縁構造が実現できる。
（５）操作部と接触機構を夫々独立したユニットとしたので、接触機構ユニットの結合数を変えるだけで、極数を容易に変更することができる。
（６）操作部と接触機構を夫々独立したユニットとしたので、接触機構が傾動軸の回転に伴って動作する構造であれば、接触機構ユニットを付け替えることで多様な接触機構に対応できる。
（７）操作片を摘むことでロックが解除できるため、スムーズに自然な動作でロック解除から傾動操作までを行えるので、操作性を損なうことなく誤動作を防止することができる。
（８）操作片の一方にアームを設けたため、ロック状態とロック解除状態の保持を容易に切り替えることができる。
【図面の簡単な説明】
【０００８】
【図１】本発明の第一実施例を示すスイッチの操作部の分解斜視図である。
【図２】本発明の第一実施例を示すスイッチの操作部の斜視図である。
【図３】本発明の第一実施例を示すスイッチの操作部の動作を示す図である。
【図４】本発明の第一実施例を示すスイッチの接触機構の分解斜視図である。
【図５】本発明の第一実施例を示すスイッチの接触機構の斜視図である。
【図６】本発明の第一実施例を示すスイッチの斜視図である。
【図７】本発明の第一実施例を示すスイッチの接触機構の動作を示す図である。
【図８】本発明の第二実施例を示すスイッチの操作部の分解斜視図である。
【図９】本発明の第二実施例を示すスイッチの操作部の動作を示す図である。
【図１０】本発明の第二実施例の応用例を示すスイッチの操作部の正面図である。
【発明を実施するための形態】
【０００９】
本発明は、操作部に配設されたロック機構を煩わしい操作を行うことなく解除することができる構成とする。よって、操作性を損なうことなく誤動作を防止することができる。
【実施例】
【００１０】
以下、本発明の実施例について、図面を参照しながら詳細に説明する。
【００１１】
図１は本発明の第一実施例を示すスイッチの操作部の分解斜視図、図２は本発明の第一実施例を示すスイッチの操作部の斜視図、図３は本発明の第一実施例を示すスイッチの操作部の動作を示す図であり、図３（ａ）は操作前、図３（ｂ）は操作途中、図３（ｃ）は操作後である。図４は本発明の第一実施例を示すスイッチの接触機構の分解斜視図、図５は本発明の第一実施例を示すスイッチの接触機構の斜視図、図６は本発明の第一実施例を示すスイッチの斜視図、図７は本発明の第一実施例を示すスイッチの接触機構の動作を示す図であり、図７（ａ）は操作前、図７（ｂ）は操作途中、図７（ｃ）は操作後である。
【００１２】
図１および２において、１は第１のボタン、２は第２のボタン、３は第１の傾動子、４は第２の傾動子、５は連結子、６は第１のボタン１と第１の傾動子３と連結子５を回動自在に結合するピン、７は第２のボタン２と第２の傾動子４と連結子５を回動自在に結合するピン、８は転換子、９は連結子５の上面に配設されるコイルバネ、１０は第１のボタン１と第２のボタン２と転換子８を回動自在に結合するピン、１１は操作部ケース、１２は引張バネ、１３は操作部ケースカバーである。
【００１３】
第１のボタン１には一対の軸受孔１ａおよび１ｂが形成され、第２のボタン２は第１のボタン１と同一形状であって、一対の軸受孔２ａおよび２ｂが形成されている。第１の傾動子３は平板の両短側面に切欠を設けてＨ字状に形成され、端部の一方に一対の軸受孔３ａと他方に一対の傾動軸３ｂが形成され、切欠の間に引張バネ１２を掛着する掛着孔３ｃが形成されている。第２の傾動子４は平板の一方の短側面に切欠を設け一対の軸受孔４ａが形成され、他方の短側面に傾動軸４ｂが形成されている。連結子５は略平板状であって、両短側面の近傍に軸受孔５ａおよび５ｂが形成され、略中央部に上下に貫通した軸受孔５ｃが形成されている。転換子８は略長方形の底面部の短側面に沿って一対の突設片８ａが形成されるとともに略中央部には突設片８ａと同方向に略円柱状の摺動軸８ｂが形成され、突設片８ａには先端部近傍に軸受孔８ｃが形成されるとともに底面部近傍に外方に向ってガイド突起８ｄが形成されている。
【００１４】
第１のボタン１の軸受孔１ａの間に第１の傾動子３の軸受孔３ａが配設され、傾動軸３ａの間に連結子５の軸受孔５ａが配設され、軸受孔１ａ、３ａおよび５ａにピン６が圧入されて第１のボタン１、第１の傾動子３および連結子５が回動自在に結合される。第２のボタン２の軸受孔２ａの間に第２の傾動子４の軸受孔４ａが配設され、傾動軸４ａの間に連結子５の軸受孔５ｂが配設され、軸受孔２ａ、４ａおよび５ｂにピン７が圧入されて第２のボタン２、第２の傾動子４および連結子５が回動自在に結合される。第１のボタン１の軸受孔１ｂ、第２のボタン２の軸受孔２ｂおよび転換子８の軸受孔８ｃにピン１０が圧入されて第１のボタン１、第２のボタン２および転換子８が回動自在に結合される。このとき、連結子５の軸受孔５ｃ上にコイルバネ９が載置されるとともに転換子８の摺動軸８ｂが軸受孔５ｃおよびコイルバネ９に挿通され、操作部が構成される。
【００１５】
第１の傾動子３の掛着孔３ｃと操作部ケース１１に形成された掛着突起１１ａの間に引張バネ１２が掛着されるとともに操作部が操作部ケース１１に配設される。このとき、第１の傾動子３および第２の傾動子４の傾動軸３ｂおよび４ｂが操作部ケース１１に形成された軸受孔１１ｂに夫々係合されるとともに、転換子８のガイド突起８ｄが操作部ケース１１に形成されたガイド溝１１ｃの係合凹部１１ｄに係合される。そして、操作部ケースカバー１３が操作部ケース１１に被され、操作部ケース１１の凹部１１ｅに形成された嵌合凸部１１ｆと操作部ケースカバー１３の突片１３ａに形成された嵌合孔１３ｂが嵌合される。このとき、第１の傾動子３および第２の傾動子４の傾動軸３ｂおよび４ｂが軸受孔１３ｃに夫々係合されるとともに、操作部ケース１１の掛着突起１１ａが係合孔１３ｄに係合されることにより、操作部ユニット２３が完成される。
【００１６】
以上のように構成された本発明のスイッチの操作部は、図３に示すように、操作部を押圧しない場合、ガイド突起８ｄがガイド溝１１ｃの係合凹部１１ｄに係合しているため傾動操作が抑制される。第１のボタン１および第２のボタン２の結合部近傍を押圧すると転換子８が押し下げられてガイド突起８ｄと係合凹部１１ｄの係合が解除されて傾動操作が可能となり、第１のボタン１および第２のボタン２を右方向に操作すると、傾動軸３ｂおよび４ｂを支点として第１の傾動子３および第２の傾動子４が右方向に傾動する。そして、第２の傾動子４が操作部ケース１１の内側面の傾斜に当接するとともに引張バネ１２の付勢により操作部の状態が保持され、操作部の押圧を解除すると第１のボタン１と第２のボタン２の結合部がコイルバネ９によって押し上げられ、連動して転換子８が押し上げられてガイド突起８ｄと係合凹部１１ｄが係合されて操作が完了する。このとき、第１のボタン１および第２のボタン２の操作に伴って傾動軸３ｂおよび４ｂが回転し、この回転により傾動軸３ｂおよび４ｂに結合された接触機構を操作することで電路の開閉を行う。
【００１７】
このように、本実施例に示すスイッチの操作部は、操作部を押圧することでロックが解除できるため操作に煩わしさがなく、スムーズな操作でロック解除から傾動操作を行えるため、操作性を損なうことなく誤動作を防止することができるという特徴を有している。
そして、第１の傾動子３および第２の傾動子４を配設したため、傾動操作に必要な力が分散されるので大きな操作力が不要であるため軽快な操作感が得られるという特徴を有している。また、傾動軸３ｂおよび４ｂに夫々接触機構を結合することができるため、１つの操作で複数の接触機構を同時に操作することができる。
そして、操作部と接触機構を夫々独立したユニットとしたため、接触機構の基礎絶縁が破壊されたときでも、操作部ユニット２３側で感電に対する保護ができるという特徴を有している。また、操作部と接触機構を夫々独立したユニットとしたため、接触機構が傾動軸３ｂおよび４ｂの回転に伴って動作する構造であれば、接触機構ユニットを付け替えることで様々な接触機構に対応できる。
【００１８】
図４および５において、操作部ユニット２３で操作される接触機構の一例を示す。ここでは、傾動軸３ｂにのみ接触機構が結合された構造について説明する。１４は可動接片、１５は第１の可動接片カバー、１６は第１の可動接片カバー１５と嵌合して可動接片１４を挟持する第２の可動接片カバー、１７は接触機構ケース、１８は第１の可動接片カバー１５と接触機構ケース１７に掛着される引張バネ、１９は接触機構ケース１７に配設される端子、２０は端子１９を覆うように接触機構ケース１７に嵌合される端子カバー、２１は接触機構ケース１７と嵌合される接触機構ケースカバー、２２は接触機構ケース１７に螺合されるネジである。可動接片１４は板状の導電部材を円弧状に折り曲げて形成され、円弧の両端には円弧の外方に向って突片１４ａが形成され、この突片１４ａに端子１９の固定接点１９ａおよび１９ｂと夫々接触する接点１４ｂおよび１４ｃが設けられている。第１の可動接片カバー１５には引張バネ１８を掛着する掛着突起１５ａおよび回転軸１５ｂが形成され、第２の可動接片カバー１６には回転軸１６ａが形成され、この回転軸１５ｂおよび１６ａを中心として回転可能となる。
【００１９】
第１の可動接片カバー１５に可動接片１４が係合され、第２の可動接片カバー１６が第１の可動接片カバー１５に嵌合されることで可動接片１４が挟持される。このとき、第１の可動接片カバー１５の掛着突起１５ａには引張バネ１８の一方が掛着される。固定接点１９ａおよび１９ｂが端子挿入孔１７ａから接触機構ケース１７の内側に突出するとともに固定接片１９ｃおよび１９ｄが接触機構ケース１７の底面に配設されるように端子１９が接触機構ケース１７の側面に配設され、端子カバー２０が接触機構ケース１７の端子１９を配設した側から被され、凹部１７ｂに形成された嵌合凸部１７ｃと突片２０ａに形成された嵌合孔２０ｂが嵌合される。端子１９が配設された接触機構ケース１７に第１の可動接片カバー１５および第２の可動接片カバー１６に挟持された可動接片１４が配設され、このとき、第１の可動接片カバー１５の回転軸１５ｂが軸受孔１７ｅおよび２０ｃに係合されるとともに引張バネ１８の他方が掛着突起１７ｄに掛着される。接触機構ケースカバー２１が接触機構ケース１７に被され、凹部１７ｆに形成された嵌合凸部１７ｇと突片２１ａに形成された嵌合孔２１ｂが嵌合される。このとき、第２の可動接片カバー１６の回転軸１６ａが軸受孔２１ｃに係合される。そして、接触機構ケース１７の下方からネジ２２が固定接片１９ｃおよび１９ｄに形成された貫通孔１９ｅおよび１９ｆを介して接触機構ケース１７に螺合されることにより、接触機構ユニット２４が完成される。
【００２０】
そして、図６に示すように、各部品の結合孔１１ｇ、１３ｅ、１７ｈ、２０ｄおよび２１ｄを結合ピン２５で結合することで、操作部ユニット２３と接触機構ユニット２４が結合される。このとき、第１の傾動子３の傾動軸３ｂと第１の可動接片カバー１５の回転軸１５ｂが嵌合されることにより、スイッチ２６が完成される。
【００２１】
以上のように構成された本発明のスイッチは、図７に示すように、第１のボタン１および第２のボタン２の結合部近傍を押圧し、転換子８を下方へ押し下げてガイド突起８ｄと係合凹部１１ｄの係合を解除し、第１のボタン１および第２のボタン２を右方向に操作すると、傾動軸３ｂが右に回転する。この回転により傾動軸３ｂに嵌合された第１の可動接片カバー１５の回転軸１５ｂが回転する。この回転に伴って可動接片１４が回転し、可動接片１４の接点１４ｂおよび１４ｃが夫々端子１９の固定接点１９ａおよび１９ｂに接触し、端子１９間を導通させる。このとき、可動接片１４は引張バネ１８の付勢により、接点間の十分な接触力が確保される。また、第１のボタン１および第２のボタン２を左方向に操作すると、傾動軸３ｂが左に回転し、この回転により回転軸１５ｂが回転する。この回転に伴って可動接片１４が回転し、各接点が開離され、端子１９間が開放される。このとき、第１のボタン１および第２のボタン２の操作変位が一定量を超えると引張バネ１８により、第１の可動接片カバー１５が開離方向に付勢されることで可動接片１４も付勢され、瞬時に接点間隙が確保される。また、スイッチ２６をパネル（図示せず）に取り付ける場合、操作部ケース１１に設けられた固定孔１１ｈがパネルに設けられたネジ孔とネジ（図示せず）によって螺合される。
【００２２】
このように、本実施例に示すスイッチは、操作部を押圧しない場合にはガイド突起８ｄがガイド溝１１ｃの係合凹部１１ｄに係合しているため傾動操作が抑制され、第１のボタン１および第２のボタン２の結合部近傍を押圧すると転換子８が下方へ押し下げられてガイド突起８ｄと係合凹部１１ｄの係合が解除されることで傾動操作が可能となり、第１のボタン１および第２のボタン２の操作に伴って傾動軸３ｂが回転することで可動接片１４を回転させて電路の開閉を行うので、操作に煩わしさがなくスムーズにロック解除から傾動操作を行えるため、操作性を損なうことなく誤動作を防止することができるという特徴を有している。
また、操作部と接触機構を夫々独立したユニットとしたため、二重絶縁構造の実現や、多様な接触機構への対応が容易にできるという特徴を有している。
【００２３】
本実施例では、可動接片が円弧状の接触機構としたが、接触機構がボタンの操作に伴って回転する傾動軸に結合するとともに、その回転に伴って動作する構造であれば可動接片の形状は多様に変更可能であって、板状やディスク状などの可動接片による接触機構としてもよい。また、可動接片を一方の傾動軸にのみ結合しているが、２つの傾動軸に夫々結合してもよく、パネルへの取付方法も樹脂バネによるワンタッチ取付などとしてもよく、種々の方法が考えられる。
【００２４】
図８は本発明の第二実施例を示すスイッチの操作部の分解斜視図、図９は本発明の第二実施例を示すスイッチの操作部の動作を示す図であり、図９（ａ）は操作前、図９（ｂ）は操作途中、図９（ｃ）は操作後である。図１０は本発明の第二実施例の応用例を示す図であり、図１０（ａ）は操作部をロック状態またはロック解除状態に保持するアーム、図１０（ｂ）はアームによってロック状態で保持された操作部、図１０（ｃ）はアームによってロック解除状態で保持された操作部、図１０（ｄ）はアーム収納時である。
【００２５】
図８において、３１は第１のボタン、３２は第２のボタン、３３は第１の傾動子、３４は第２の傾動子、３５は連結子、３６は第１のボタン３１と第１の傾動子３３と連結子３５を回動自在に結合するピン、３７は第２のボタン３２と第２の傾動子３４と連結子３５を回動自在に結合するピン、３８は転換子、３９は連結子５の上面に配設されるコイルバネ、４０は第１のボタン３１と第２のボタン３２と転換子３８を回動自在に結合するピン、４１は操作部ケース、４２は引張バネ、４３は操作部ケースカバーである。
【００２６】
第１のボタン３１は底面部から操作片３１ａを立設させて略Ｌ字状に形成され、底面部に一対の軸受孔３１ｂが形成され、略Ｌ字の屈折部近傍に軸受孔３１ｃが形成されている。第２のボタン３２は第１のボタン３１と同一形状であって、底面部から操作片３２ａを立設させて略Ｌ字状に形成され、底面部に一対の軸受孔３２ｂが形成され、略Ｌ字の屈折部近傍に軸受孔３２ｃが形成されている。第１の傾動子３３は平板の両短側面に切欠を設けてＨ字状に形成され、端部一方に一対の軸受孔３３ａと他方に一対の傾動軸３３ｂが形成され、切欠の間に引張バネ４２を掛着する掛着孔３３ｃが形成されている。第２の傾動子３４は平板の一方の短側面に切欠を設け一対の軸受孔３４ａが形成され、他方の短側面に傾動軸３４ｂが形成されている。連結子３５は略平板状であって、両短側面の近傍に軸受孔３５ａおよび３５ｂが形成され、略中央部に上下に貫通した軸受孔３５ｃが形成されている。転換子３８は略長方形の底面部の短側面に沿って一対の突設片３８ａが形成されるとともに略中央部には突設片３８ａと同方向に略円柱状の摺動軸３８ｂが形成され、突設片３８ａの先端部近傍に軸受孔３８ｃが形成されるとともに底面部近傍に外方に向ってガイド突起３８ｄが形成されている。
【００２７】
第１のボタン３１の軸受孔３１ｂの間に第１の傾動子３３の軸受孔３３ａが配設され、傾動軸３３ａの間に連結子３５の軸受孔３５ａが配設され、軸受孔３１ｂ、３３ａおよび３５ａにピン３６が挿通されて第１のボタン３１、第１の傾動子３３および連結子３５が回動自在に結合される。第２のボタン３２の軸受孔３２ｂの間に第２の傾動子３４の軸受孔３４ａが配設され、傾動軸３４ａの間に連結子３５の軸受孔３５ｂが配設され、軸受孔３２ｂ、３４ａおよび３５ｂにピン３７が挿通されて第２のボタン３２、第２の傾動子３４および連結子３５が回動自在に結合される。第１のボタン３１の軸受孔３１ｃ、第２のボタン３２の軸受孔３２ｃおよび転換子３８の軸受孔３８ｃにピン４０が挿通されて第１のボタン３１、第２のボタン３２および転換子３８が回動自在に結合される。このとき、連結子３５の軸受孔３５ｃ上にコイルバネ３９が載置されるとともに転換子３８の摺動軸３８ｂが軸受孔３５ｃおよびコイルバネ３９に挿通され、操作部が構成される。
【００２８】
第１の傾動子３３の掛着孔３３ｃと操作部ケース４１に形成された掛着突起４１ａの間に引張バネ４２が掛着されるとともに操作部が操作部ケース４１に配設される。このとき、第１の傾動子３３および第２の傾動子３４の傾動軸３３ｂおよび３４ｂが操作部ケース４１に形成された軸受孔４１ｂに夫々係合されるとともに、転換子３８のガイド突起３８ｄが操作部ケース４１に形成されたガイド溝４１ｃの係合凹部４１ｄに係合される。そして、操作部ケースカバー４３が操作部ケース４１に被され、操作部ケース４１の凹部４１ｅに形成された嵌合凸部４１ｆと操作部ケースカバー４３の突片４３ａに形成された嵌合孔４３ｂが嵌合される。このとき、第１の傾動子３３および第２の傾動子３４の傾動軸３３ｂおよび３４ｂが軸受孔４３ｃに係合されるとともに、操作部ケース４１の掛着突起４１ａが係合孔４３ｄに係合されることにより、操作部ユニットが完成される。そして、第一実施例と同様に、接触機構ユニットと結合されることにより、スイッチが完成される。
【００２９】
以上のように構成された本発明のスイッチの操作部は、図９に示すように、通常の状態では、操作片３１ａと３２ａは間隔を開けて保持されており、ガイド突起３８ｄがガイド溝４１ｃの係合凹部４１ｄに係合しているため傾動操作が抑制される。操作片３１ａおよび操作片３２ａを摘むと転換子３８が押し下げられてガイド突起３８ｄと係合凹部４１ｄの係合が解除されて傾動操作が可能となり、操作片３１ａおよび操作片３２ａを右方向に操作すると、傾動軸３３ｂおよび３４ｂを支点として第１の傾動子３３および第２の傾動子３４が右方向に傾動する。そして、第２の傾動子３４が操作部ケース４１の内側面の傾斜に当接するとともに引張バネ４２の付勢により操作部の状態が保持され、操作片３１ａおよび操作片３２ａを放すと第１のボタン３１と第２のボタン３２の結合部がコイルバネ３９によって押し上げられ、連動して転換子８が押し上げられてガイド突起３８ｄと係合凹部４１ｄが係合されて操作が完了する。このとき、操作片３１ａおよび操作片３２ａの操作に伴って傾動軸３３ｂおよび３４ｂが回転し、この回転により傾動軸３３ｂおよび３４ｂに結合された接触機構を操作することで電路の開閉を行う。
【００３０】
図１０は、本実施例の応用例を示しており、アーム４４が第２のボタン５２の操作片５２ａに回動自在に配設されている。アーム４４を操作片５１ａに形成された係合突起５１ｂに係合することで、操作片５１ａと５２ａを閉じることができなくなるためロック状態が保持され、アーム４４を係合突起５１ｃに係合することで、操作片５１ａと５２ａが閉じたままになるためロック解除状態が保持される。また、状態保持が不要である場合にはアーム４４を第２のボタン５２に形成された係合突起５２ｂに係合することでアーム４４を収納することができる。
【００３１】
なお、本発明は上記の実施例に限定されるものではなく、本発明の趣旨に基づき種々の変形が可能であり、これらを本発明の範囲から排除するものではない。
【産業上の利用可能性】
【００３２】
本発明のスイッチは、操作性を損なうことなく誤動作を防止するスイッチとして利用可能である。
【符号の説明】
【００３３】
１，３１，５１                  第１のボタン
２，３２，５２                  第２のボタン
１ａ，１ｂ，２ａ，２ｂ，３ａ，４ａ，５ａ，５ｂ，５ｃ，８ｃ，１１ｂ，１３ｃ，１７ｅ，２０ｃ，２１ｃ，３１ｂ，３１ｃ，３２ｂ，３２ｃ，３３ａ，３４ａ，３５ａ，３５ｂ，３５ｃ，３８ｃ，４１ｂ，４３ｃ  軸受孔
３，３３                        第１の傾動子
３ｂ，４ｂ，３３ｂ，３４ｂ      傾動軸
３ｃ，３３ｃ                    掛着孔
４，３４                        第２の傾動子
５，３５                        連結子
６，７，１０，３６，３７，４０  ピン
８，３８                        転換子
８ａ，３８ａ                    突設片
８ｂ，３８ｂ                    摺動軸
８ｄ，３８ｄ                    ガイド突起
９，３９                        コイルバネ
１１，４１                      操作部ケース
１１ａ，１５ａ，１７ｄ，４１ａ  掛着突起
１１ｃ，４１ｃ                  ガイド溝
１１ｄ，４１ｄ                  係合凹部
１１ｅ，１７ｂ，１７ｆ，４１ｅ  凹部
１１ｆ，１７ｃ，１７ｇ，４１ｆ  嵌合凸部
１１ｇ，１３ｅ，１７ｈ，２０ｄ，２１ｄ，４１ｇ  結合孔
１１ｈ，４１ｈ                  固定孔
１２，１８，４２                引張バネ
１３，４３                      操作部ケースカバー
１３ａ，１４ａ，２０ａ，２１ａ，４３ａ  突片
１３ｂ，２０ｂ，２１ｂ，４３ｂ  嵌合孔
１３ｄ，４３ｄ                  係合孔
１４                            可動接片
１４ｂ，１４ｃ                  接点
１５                            第１の可動接片カバー
１５ｂ，１６ａ                  回転軸
１６                            第２の可動接片カバー
１７                            接触機構ケース
１７ａ                          端子挿入孔
１９                            端子
１９ａ，１９ｂ                  固定接点
１９ｃ，１９ｄ                  固定接片
１９ｅ，１９ｆ                  貫通孔
２０                            端子カバー
２１                            接触機構ケースカバー
２２                            ネジ
２３                            操作部ユニット
２４                            接触機構ユニット
２５                            結合ピン
２６                            スイッチ
３１ａ，３２ａ，５１ａ，５２ａ  操作片
４４                            アーム
５１ｂ，５１ｃ，５２ｂ          係合突起
【図１】
2011076884.tif 000003
【図２】
2011076884.tif 000004
【図３】
2011076884.tif 000005
【図４】
2011076884.tif 000006
【図５】
2011076884.tif 000007
【図６】
2011076884.tif 000008
【図７】
2011076884.tif 000009
【図８】
2011076884.tif 000010
【図９】
2011076884.tif 000011
【図１０】
2011076884.tif 000012